(57)【要約】【課題】耳への装着感が良好で、長時間着けていても耳に痛みが生じにくい音響装置を提供する。【解決手段】イヤホン６は、電気音響変換素子２１と、キャップ３０と、チューブ４３と、を有する。電気音響変換素子２１は、放音部２１ａ及び側部２１ｃがキャップ３０で覆われる。キャップ３０は、柔軟性、弾力性及び通気性を有し、且つ、音を透過させる部材である。チューブ４３は、電気音響変換素子２１に直接又は間接的に固定される。チューブ４３は、電気音響変換素子２１とキャップ３０との間に存在する。チューブ４３とキャップ３０との間に摩擦力が生じ、電気音響変換素子２１とキャップ３０とが相対移動し難くい。キャップ３０が外耳道に嵌まることにより、電気音響変換素子２１が当該外耳道の内壁から離れて支持される。【選択図】図２０
2019161467.tif 000002
【特許請求の範囲】
【請求項１】
耳に装着して使用する音響装置であって、
前記音響装置は、電気音響変換素子と、皮膚接触部材と、介在部材と、を有し、
前記電気音響変換素子は、その放音部及び側部が前記皮膚接触部材で覆われ、
前記皮膚接触部材は、柔軟性、弾力性及び通気性を有し、且つ、音を透過させる部材であり、
前記介在部材は、前記電気音響変換素子に直接又は間接的に固定されて前記皮膚接触部材と前記電気音響変換素子との間に存在するとともに、前記皮膚接触部材との間の摩擦力により前記電気音響変換素子と前記皮膚接触部材との相対移動を難くし、
前記皮膚接触部材が外耳道に嵌まることにより、前記電気音響変換素子が当該外耳道の内壁から離して支持される、音響装置。
【請求項２】
前記介在部材は、前記電気音響変換素子との間に空気室を形成する、請求項１の音響装置。
【請求項３】
前記電気音響変換素子を収容する第１エンクロージャと、
前記第１エンクロージャを収容する第２エンクロージャと、を更に有し、
前記第１エンクロージャは、前記電気音響変換素子との間に第１共鳴室を形成し、
前記第２エンクロージャは、前記第１エンクロージャとの間に第２共鳴室を形成し、
前記第１エンクロージャには、前記第１共鳴室と前記第２共鳴室とを互いに連通させるポートが設けられている、請求項１又は２の音響装置。
【請求項４】
前記第２エンクロージャの内部には、前記第２共鳴室と連通する第３共鳴室が形成されている、請求項３の音響装置。
【請求項５】
前記第２エンクロージャにおける前記第２共鳴室と前記第３共鳴室との連通部は、くびれている、請求項４の音響装置。
【請求項６】
前記皮膚接触部材は、スポンジ材からなる部材である、請求項１乃至５のいずれか１に記載の音響装置。
【請求項７】
前記皮膚接触部材の外形は、球形である、請求項１乃至６のいずれか１に記載の音響装置。
【発明の詳細な説明】
【技術分野】
【０００１】
本開示は、耳に装着して使用する音響装置に関する。
【背景技術】
【０００２】
耳に装着して使用する音響装置として、イヤホンが多数商品化されている。
イヤホンは、インナーイヤー型イヤホン（イントラコンカ型イヤホン、オープンエア型
イヤホン、等とも称される）とカナル型（耳栓型）イヤホンとに大別される。
【０００３】
図２１に示すように、インナーイヤー型イヤホン８０は、電気音響変換素子８１を内蔵
したハウジング８２を、耳珠１１４と対耳珠１１５とに囲まれた窪み部分（耳甲介腔）１
１３に嵌めて使用する。
【０００４】
図２２に示すように、カナル型イヤホン９０は、電気音響変換素子９１を内蔵したハウ
ジング９２と、ハウジング９２から突出した音導管３３と、音導管９３の周りに装着され
たイヤピース９４と、を備えている。カナル型イヤホン９０は、イヤピース９４を外耳道
１１０に挿入して使用する。また、多くのカナル型イヤホン９０は、耳甲介腔１１３にハウジング９２が嵌まる。
【発明の概要】
【発明が解決しようとする課題】
【０００５】
硬いハウジングが耳に接触する構造のイヤホンは、長時間使用すると、ハウジングと接触している箇所が痛くなり易い。この問題は、インナーイヤー型イヤホン８０とカナル型イヤホン９０のどちらにも共通する問題である。カナル型イヤホン９０は、イヤピース９４で外耳道１１０を密閉するため、装着感が良くない。
【課題を解決するための手段】
【０００６】
一実施形態の音響装置は、耳に装着して使用する音響装置である。
前記音響装置は、電気音響変換素子と、皮膚接触部材と、介在部材と、を有する。
前記電気音響変換素子は、その放音部及び側部が前記皮膚接触部材で覆われている。
前記皮膚接触部材は、柔軟性、弾力性及び通気性を有する。前記皮膚接触部材は、音を透過させる部材である。
前記介在部材は、前記電気音響変換素子と前記皮膚接触部材との間に存在する。そして、前記介在部材は、前記電気音響変換素子と前記皮膚接触部材との相対移動を難くしている。
前記皮膚接触部材が外耳道に嵌まることにより、前記介在部材と前記外耳道の内壁との間に、前記皮膚接触部材が介在する。前記電気音響変換素子は、当該外耳道の内壁から離して支持される。
【図面の簡単な説明】
【０００７】
【図１】一実施形態の音響装置の正面図
【図２】図１に示す音響装置の背面図
【図３】図１に示す音響装置の平面図
【図４】図１に示す音響装置の底面図
【図５】図１に示す音響装置の左側面図
【図６】図１に示す音響装置の右側面図
【図７】図１に示す音響装置の部分破断図
【図８】図１に示す音響装置の皮膚接触部材及び介在部材を取り外した残りの部分の一部を断面で表した正面図
【図９】図１に示す音響装置を耳に装着した状態を示す模式断面図
【図１０】別の一実施形態の音響装置の正面図
【図１１】図１０に示す音響装置の部分破断正面図
【図１２】更に別の一実施形態の音響装置の正面図
【図１３】図１２に示す音響装置の平面図
【図１４】図１２に示す音響装置の底面図
【図１５】図１２に示す音響装置の左側面図
【図１６】図１２に示す音響装置の右側面図
【図１７】更に別の一実施形態の音響装置の正面図
【図１８】図１７に示す音響装置の部分破断正面図
【図１９】更に別の一実施形態の音響装置の断面図
【図２０】更に別の一実施形態の音響装置の断面図
【図２１】インナーイヤー型イヤホンを耳に装着した状態を示す図
【図２２】カナル型イヤホンを耳に装着した状態を示す図
【発明を実施するための形態】
【０００８】
［第１実施形態］
図１乃至図８には、耳１００に装着して使用する音響装置の範疇に含まれるイヤホン１の一実施形態が示されている。イヤホン１は、右耳用としても左耳用としても使用可能である。
【０００９】
イヤホン１は、第２エンクロージャとしてのイヤホンケーシング１０と、ドライバユニット２０（図８）と、皮膚接触部材としてのキャップ３０（図１乃至図７）と、介在部材としてのバッフルチューブ４０（図７）と、を有する。
【００１０】
イヤホンケーシング１０は、アルミ板を絞り加工してなる一体成形品である。イヤホンケーシング１０は、ヘッド部１１（図７、図８）と、ボディ部１２と、を有する。
【００１１】
図８に示すように、ヘッド部１１は、半球殻構造になっている。ボディ部１２は、直管の両端を半球殻で塞いだ構造になっている。ヘッド部１１とボディ部１２とは、ネック部（括れ部）１３を介して同軸状に接続されている。ヘッド部１１の外径は、ボディ部１２の外径よりも大きい。
【００１２】
ヘッド部１１の先端部（図示左端部）は開口している。ヘッド部１１の先端１１ａには、プロテクタ５０が取り付けられている。プロテクタ５０は、ヘッド部１１と略対称の半球殻状の部材である。プロテクタ５０とヘッド部１１とが組み合わされて球殻を成している。プロテクタ５０は、メッシュ状の金属製の部材である。プロテクタ５０は、音声を良好に透過させる。ヘッド部１１の先端部の内側には、ドライバユニット２０が嵌合する環状突起１１ｂが設けられている。
【００１３】
ドライバユニット２０は、電気音響変換素子２１と、第１エンクロージャとしてのドライバケーシング２２と、を有する。電気音響変換素子２１の先端（図示左端）には、放音部としての振動板２１ａが設けられている。振動板２１ａの背後（図示右側）には、入力電気信号を振動板２１ａの振動に変換する電気機械結合系（不図示）が設けられている。電気機械結合系は、ボイスコイル、マグネット、等（何れも不図示）で構成される。振動板２１ａの振動が空気振動すなわち音として放出される。電気音響変換素子２１の基端（図示右端）には、一対の端子２１ｂが設けられている。電気音響変換素子２１は、ドライバケーシング２２に収容されている。ドライバケーシング２２は、電気音響変換素子２１との間に第１共鳴室６１を形成する。
【００１４】
ドライバケーシング２２は、円筒部２２ａと、端板部２２ｂ、とからなる。円筒部２２ａは、電気音響変換素子２１を包囲している。電気音響変換素子２１の振動板２１ａは、円筒部２２ａの前端から露出している。電気機械結合系（不図示）の駆動軸は円筒部２２ａの中心軸と同軸上に配置されている。円筒部２２ａの後端は、端板部２２ｂで塞がれている。端板部２２ｂの内面（図示左面）には、一対の端子２２ｃが設けられている。端板部２２ｂの外面（図示右面）には、一対の端子２２ｄが設けられている。端板部２２ｂの内面の端子２２ｃと外面の端子２２ｄとは、スルーホール（不図示）で電気的に接続されている。端板部２２ｂの内面の端子２２ｃには、電気音響変換素子２１の端子２１ｂが電気的に接続されている。端板部２２ｂには、ポート（通気孔）２２ｅが設けられている。ポート２２ｅは、端板部２２ｂの内面及び外面に開口している。
【００１５】
ドライバケーシング２２は、円筒部２２ａがヘッド部１１の環状突起１１ｂに嵌合することにより、ヘッド部１１内に安定に保持されている。この例では、ドライバケーシング２２の後端（図示右端）が、ヘッド部１１の内壁に全周に亘って接している。これにより、ヘッド部１１と端板部２２ｂとの間に第２共鳴室６２が形成されている。第２共鳴室６２は、ポート２２ｅを介して第１共鳴室６１と連通している。
【００１６】
また、この例では、ボディ部１２の内部空間が第３共鳴室６３をなす。第３共鳴室６３は、ネック部１３の内部空間６４を介して第２共鳴室６２と連通している。すなわち、第２共鳴室６２と第３共鳴室６３との連通部（内部空間６４）は、くびれている。
【００１７】
ボディ部１２の軸方向（図示左右方向）の中央の下部には、ケーブル挿入孔（不図示）が設けられている。ボディ部１２には、ケーブル挿入孔（不図示）と同軸にブッシング７１が取り付けられている。ボディ部１２内すなわち第３共鳴室６３には、ブッシング７１を介してケーブル７２の一端側が挿入されている。第３共鳴室６３内で、ケーブル７２の一端部がボディ部１２に固定され、その一端部から２本のリード線７３が引き出されている。リード線７３はそれぞれ端子２１ｂに電気的に接続されている。ケーブル７２の他端部は、プラグ（不図示）が備えられて音楽再生装置などに接続される。
【００１８】
ボディ部１２は、イヤホン１を耳１００に付け外しする際に指で摘まむ部分として機能し得る。
【００１９】
図１乃至図７に示すように、キャップ３０は、略球形の部材である。キャップ３０は、スポンジ材で形成されている。キャップ３０に使用されるスポンジ材は、通気性の高い連続気泡構造を有している。その代表例は、高発泡・高通気ウレタンフォームである。キャップ３０は、柔軟性、弾力性及び通気性を有する。キャップ３０は、音を透過させる部材である。キャップ３０は、耳障りな高域成分の音を取り除くアナログフィルターとして機能しうる。
【００２０】
図７に示すように、キャップ３０は、バッフルチューブ４０及びプロテクタ５０が取り付けられている状態のヘッド部１１を覆う。キャップ３０とバッフルチューブ４０とを組み合わせることにより、ボディ部１２側（図示右側）の端部を除き、略球体をなす。電気音響変換素子２１の振動板２１ａ及び側部２１ｃは、キャップ３０で覆われる。キャップ３０は、電気音響変換素子２１を外耳道１１０（図９）の内壁１１１から離して支持する。この例では、電気音響変換素子２１とキャップ３０との間に、ドライバケーシング２２、プロテクタ５０、ヘッド部１１及びバッフルチューブ４０が介在している。
【００２１】
バッフルチューブ４０は、イヤホンケーシング１０のヘッド部１１側に外装されている。バッフルチューブ４０は、ボディ部１２のヘッド部１１側の端部からプロテクタ５０の中間部に延びている。バッフルチューブ４０のボディ部１２側の端部４０ａは、キャップ３０で覆われない。端部４０ａの表面は、自然状態におけるキャップ３０の表面と同じ曲率の部分球面である。
【００２２】
バッフルチューブ４０の先端部（図示左端部）４０ｂは開口している。バッフルチューブ４０の先端部４０ｂとプロテクタ５０との間には、環状の狭い隙間が形成されている。バッフルチューブ４０のボディ部１２側の端部４０ａは、全周に亘ってボディ部１２に気密に接している。端部４０ａには、内側に向けて環状の返し部４１が設けられている。返し部４１が、ボディ部１２の半球殻に倣って面接触することにより、バッフルチューブ４０とボディ部１２との間の気密性が保たれている。返し部４１は、ネック部１３に達している。
【００２３】
バッフルチューブ４０は、電気音響変換素子２１との間に空気室６５を形成する。この例では、ヘッド部１１とバッフルチューブ４０との間に空気室６５が形成されている。
【００２４】
バッフルチューブ４０は、電気音響変換素子２１とキャップ３０との間に存在する。この例では、バッフルチューブ４０と電気音響変換素子２１との間に、ドライバケーシング２２及びヘッド部１１が存在している。
【００２５】
バッフルチューブ４０は、イヤホンケーシング１０よりも軟らかい。バッフルチューブ４０は、キャップ３０よりも硬い。バッフルチューブ４０は、ドライバケーシング２２よりも硬い。
【００２６】
バッフルチューブ４０は、弾力性を有する。バッフルチューブ４０は、エラストマでできている。エラストマの例として、シリコーンゴムを挙げることができる。エラストマでできたバッフルチューブ４０とスポンジ材（発泡ウレタンフォーム、発泡シリコーン、等）でできたキャップ３０との間には、比較的大きい摩擦力が働く。その摩擦力が電気音響変換素子２１とキャップ３０との相対移動を難くしている。これにより、電気音響変換素子２１に対するキャップ３０の位置ずれ、及びイヤホンケーシング１０からのキャップ３０の不用意な離脱或いは望まない離脱が防止される。
【００２７】
上記のように構成された第１実施形態のイヤホン１は、図９に示すように、キャップ３０が外耳道１１０に嵌まることにより、バッフルチューブ４０と外耳道１１０の内壁１１１との間に、キャップ３０が介在する。電気音響変換素子２１は、外耳道１１０の内壁１１１から離して支持される。電気音響変換素子２１は、振動板２１ａを外耳道１１０内に向けて配置される。電気音響変換素子２１の振動板２１ａは、外耳道１１０内の入り口１１２付近に配置される。そして、電気音響変換素子２１から発せられた音がキャップ３０を放射状に透過して外耳道１１０内に放音される。音導管９３及びイヤピース９４（図２２参照）が存在しないため、外耳道１１０内の入り口１１２付近にて電気音響変換素子２１から発せられた再生音が、キャップ３０を透過して外耳道１１０の皮膚やその周辺の骨に伝達される。
【００２８】
よって、第１実施形態のイヤホン１によれば、電気音響変換素子２１から発せられた音を、外耳道１１０周辺の音を感じる部分の能力を最大限に活用して、自然な音響として認知することができる。
【００２９】
また、第１実施形態のイヤホン１によれば、電気音響変換素子２１の放音部としての振動板２１ａが外耳道１１０内の入り口１１２付近に配置されるので、電気音響変換素子２１から発せられる音を効率良く外耳道１１０に導くことができる。よって、小寸（小出力）の電気音響変換素子２１を使用しているにもかかわらず、その再生音を自然な音響として認知できる。
【００３０】
また、第１実施形態のイヤホン１は、音導管９３（図２２参照）を使用しないため、電気音響変換素子２１から聴覚器官に伝達される音域が制限されない。よって、電気音響変換素子２１の性能を十分に発揮させることができる。
【００３１】
また、第１実施形態のイヤホン１は、キャップ３０の外形が球形であるので、多くの人の外耳道１１０にフィットし易い。また、キャップ３０の外形が球形であることにより、電気音響変換素子２１から発せられる音が偏りなく放射状に外耳道１１０内に放音される。また、耳に対する装着角度が多少変化しても、バッフルチューブ４０と外耳道１１０の内壁１１１との間に、キャップ３０が介在し、電気音響変換素子２１が外耳道１１０の内壁１１１から離して支持される。
【００３２】
また、第１実施形態のイヤホン１は、耳１００に接触する部分がキャップ３０だけであり且つキャップ３０が柔軟なスポンジ材からなるので、耳１００への装着感が良好で、長時間着けていても耳１００に痛みが生じにくい。
【００３３】
また、第１実施形態のイヤホン１は、外耳道１１０に嵌まるキャップ３０が通気性を有するスポンジ材からなるので、外耳道１１０を気密に密閉しない。このためタッチノイズが発生しにくい。
【００３４】
また、第１実施形態のイヤホン１は、ドライバケーシング２２及びヘッド部１１とキャップ３０との間にバッフルチューブ４０が存在するので、外耳道１１０を気密に密閉しないにもかかわらず、中低音再現性が良い。外耳道１１０外への音漏れが抑制されるからである。また、バッフルチューブ４０の内部空間が空気室６５をなすので、中低音再現性が更に良好である。バッフルチューブ４０は、空気室６５内の空気を共振させることで、中低音域の音響増幅器として機能し得る。
【００３５】
また、第１実施形態のイヤホン１は、バッフルチューブ４０の先端部４０ｂとプロテクタ５０との間に環状の狭い隙間が形成されていることで、電気音響変換素子２１の振動板２１ａから発せられ後方（外耳道１１０の外側）に回り込む音が空気室６５内に伝達し易くなる。そして、バッフルチューブ４０のボディ部１２側の端部４０ａが全周に亘ってボディ部１２に気密に接していることで、空気室６５内に伝達した音が空気室６５の後方（外耳道１１０の外側）に伝達し難くなる。これにより、外耳道１１０外への音漏れがより効果的に抑制され、中低音再現性がより良好となる。
【００３６】
また、第１実施形態のイヤホン１は、第１共鳴室６１と第２共鳴室６２と第３共鳴室６３とを備え、第１共鳴室６１と第２共鳴室６２とが細い通路（ポート２２ｅ）で結ばれているので、低音が増幅される。そして、第２共鳴室６２と第３共鳴室６３とが細い通路（内部空間６４）で結ばれているので、低音が更に増幅される。
【００３７】
［第２実施形態］
以下の説明において、既に説明した実施形態と同一又は機能的に共通の構成要素については、同じ符号を付して説明を省略する。
【００３８】
図１０及び図１１に示すイヤホン２は、バッフルチューブ４０がネック部１３からプロテクタ５０の中間部に延びている。バッフルチューブ４０は、ネック部１３及びヘッド部１１の基端部（図示右端部）に全周に亘って気密に接している。キャップ３０とバッフルチューブ４０とを組み合わせることにより、バッフルチューブ４０とネック部１３との境界部分を除き、略球体をなす。それは、図７における球体よりも真球に近い球体である。
【００３９】
第２実施形態によれば、キャップ３０とバッフルチューブ４０とを組み合わせてなるほぼ完全な球体を備えた斬新なデザインのイヤホン２を実現し得る。その他の作用・効果は第１実施形態と同様である。
【００４０】
［第３実施形態］
図１２乃至図１６に示すイヤホン３では、イヤホンケーシング１０が、細い棒状のボディ部１４を有している。ケーブル７２は、ヘッド部１１の基端部（図示右側端部）に設けられた孔１１ｃから、ヘッド部１１の外に延びている。バッフルチューブ４０の基端部（図示右側端部）には、ケーブル７２との干渉を避けるための切欠（不図示）が設けられている。ボディ部１４は、先端部（図示右側端部）が丸い円筒形状である。ボディ部１４の径寸法は、図１０及び図１１に示すイヤホン２のネック部１３の径寸法と同じである。このイヤホンケーシング１０は、図１１におけるヘッド部１１と細い棒状のボディ部１４とが、図１１におけるネック部１３を介さずに一体化した構造になっている。ボディ部１４は、中空構造であっても充実構造であってもよい。
【００４１】
第３実施形態によれば、キャップ３０とバッフルチューブ４０とを組み合わせてなるほぼ完全な球体とその球体から突出する細い棒状のボディ部１４とを備えた、構造がシンプルで且つデザインが斬新なイヤホン３を実現し得る。ボディ部１４は、イヤホン３を耳１００に付け外しする際に指で摘まむ部分として機能し得る。その他の作用・効果は第１実施形態及び第２実施形態と同様である。ただし、ボディ部１４が充実構造である場合、ボディ部１４に第３共鳴室６３（図１１参照）が存在しない。また、ボディ部１４が中空構造であっても、その内部空間の容積は、第３共鳴室６３（図１１参照）よりも小さい。よって、イヤホン３の低音再現性は、第１実施形態及び第２実施形態のイヤホン１、２とは異なる。
【００４２】
［第４実施形態］
図１７及び図１８に示すイヤホン４は、イヤホンケーシング１０がヘッド部１１のみを有する。ヘッド部１１の基端部には、ケーブル固定蓋１５が取り付けられている。ケーブル固定蓋１５はヘッド部１１に強固に固定されている。ケーブル７２の一端部（図示左側端部）は、ケーブル固定蓋１５の中央の孔１５ａに挿入されている。ケーブル７２の一端部には、抜け防止リング１６が取り付けられている。抜け防止リング１６は、ケーブル７２のシース７２ａに強固に固定されている。抜け防止リング１６は、ケーブル固定蓋１５からのケーブル７２の抜けを防止する。抜け防止リング１６は、ケーブル固定蓋１５に対するケーブル７２の一端部の姿勢を安定に保つ。これにより、リード線７３と端子２１ｂとの接続部に張力などが作用しないようになっている。
【００４３】
第４実施形態によれば、キャップ３０とバッフルチューブ４０とを組み合わせてなるほぼ完全な球体からケーブル７２だけが延びる、構造がシンプルで且つデザインが斬新なイヤホン４を実現し得る。その他の作用・効果は第２実施形態と同様である。ただし、ボディ部１２（図１０及び図１１参照）を備えていないため、キャップ３０及びバッフルチューブ４０とからなる部分が、イヤホン４を耳１００に付け外しする際に指で摘まむ部分になる。ケーブル７２のヘッド部１１との接続部近傍を指で摘まんで、イヤホン４を耳１００に付け外しすることも可能である。
【００４４】
［第５実施形態］
図１９に示すイヤホン５は、バッフルチューブ４０の内側に、音響振動吸収層４２が設けられている。音響振動吸収層４２は、バッフルチューブ４０とヘッド部１１とが近接する部分の空間（空気室６５の図示右側の空間）を埋めるようにして設けられている。音響振動吸収層４２は、シリコーンを主原料とした柔らかいゲル状の素材からなる。ゲル状の素材の例として、株式会社タイカにより開発されたαGEL（登録商標）を挙げることができる。
【００４５】
第５実施形態によれば、バッフルチューブ４０の内側に音響振動吸収層４２が設けられているので、外耳道１１０外への音漏れを第４実施形態よりも効果的に抑制し得る。その他の作用・効果は第４実施形態と同様である。ただし、第４実施形態よりも空気室６５の容積が小さくなるため、バッフルチューブ４０の音響増幅器としての性能は第４実施形態と相違する。
【００４６】
なお、本発明の実施形態は上記の実施形態に限定されるものではなく、本発明の技術的
思想の趣旨を逸脱しない範囲において様々に変更、置換、変形されてもよい。
【００４７】
例えば、第１乃至第５実施形態のイヤホン１乃至５は、ケーブル７２がイヤホンケーシング１０に常時接続されているが、イヤホンケーシング１０にリケーブル用の端子を設け、当該端子に任意のケーブルを接続するようにしてもよい。
【００４８】
また、第１乃至第５実施形態のイヤホン１乃至５は、バッフルチューブ４０の先端部４０ｂとプロテクタ５０との間に、環状の狭い隙間が形成されているが、当該隙間は必須の構成要素ではない。当該隙間が存在しなくても或いは当該隙間が存在しない方が、中低音再現性を高める上で有利である可能性もある。また、バッフルチューブ４０とヘッド部１１とにより密閉構造の空気室６５を形成してもよい。電気音響変換素子２１から発せられた音で密閉構造の空気室６５内の空気が共振する構造により、バッフルチューブ４０がより高性能な音響増幅器として機能し得る可能性がある。
【００４９】
また、第１乃至第５実施形態のイヤホン１乃至５は、第１共鳴室６１を備えているが、第１共鳴室６１は必須の構成要素ではない。
【００５０】
また、第１乃至第３実施形態のイヤホン１乃至３は、第２共鳴室６２を備えているが、第２共鳴室６２は必須の構成要素ではない。
【００５１】
また、第１及び第２実施形態のイヤホン１、２は、第３共鳴室６３を備えているが、第３共鳴室６３は必須の構成要素ではない。
【００５２】
また、第１乃至第５実施形態のイヤホン１乃至５は、イヤホンケーシング１０を備えているが、イヤホンケーシング１０は必須の構成要素ではない。イヤホンケーシング１０を省略し、図２０に示すように、ドライバユニット２０にキャップ３０を被せてもよい。図２０では、介在部材としてのチューブ４３がドライバユニット２０に直接取り付けられている。
【００５３】
また、第１乃至第５実施形態のイヤホン１乃至５は、空気室６５を備えているが、空気室６５は必須の構成要素ではない。図２０に示す第６実施形態のイヤホン６では、チューブ４３がドライバユニット２０の側面に密接しているため、チューブ４３とドライバユニット２０との間に空気室６５は存在しない。
【００５４】
また、第１乃至第５実施形態のイヤホン１乃至５は、第１エンクロージャとしてのドライバケーシング２２を備えているが、ドライバケーシング２２は必須の構成要素ではない。例えば、図２０におけるドライバユニット２０が電気音響変換素子２１自体であってもよい。この場合、電気音響変換素子２１の端子２１ｂにケーブル７２のリード線７３が直接接続される。また、介在部材としてのチューブ４３が電気音響変換素子２１に直接取り付けられる。また、介在部材としてのチューブ４３を電気音響変換素子２１に直接取り付け、チューブ４３と電気音響変換素子２１との間に空気室を設けてもよい。たとえば、チューブ４３の軸方向中間部を膨らませることで、チューブ４３と電気音響変換素子２１との間に空気室６５を設けることが可能である。
【００５５】
また、第１乃至第６実施形態のイヤホン１乃至６は、球形のキャップ３０を備えているが、キャップ３０の形状は任意である。キャップ３０の形状は、例えば、楕円球体状、円柱状、弾丸状、等でもよい。
【００５６】
また、第１乃至第５実施形態のイヤホン１乃至５において、吸音材からなるバッフルチューブ４０を使用してもよい。バッフルチューブ４０自体が音を吸収することで、バッフルチューブ４０による外耳道１１０外への音漏れ防止性能を高めることができる。第６実施形態のイヤホン６において、吸音材からなるチューブ４３を使用してもよい。チューブ４３が音を吸収することで、外耳道１１０外への音漏れを抑制できる。
【００５７】
また、上記実施形態では、キャップ３０としてスポンジ材からなる部材を用いているが、伸縮性、柔軟性及び通気性を有する部材であれば、スポンジ材からなる部材に限らない。
【００５８】
また、上記実施形態では、放音部としての振動板２１ａが外耳道１１０内の入り口１１２付近に配置される装着態様（図９）を例示したが、それ以外の装着態様とすることも可能である。本発明に係る音響装置の装着態様には、放音部としての振動板２１ａが外耳道１１０の丁度入り口１１２に配置される装着態様が含まれる。本発明に係る音響装置の装着態様には、放音部としての振動板２１ａが外耳道１１０外の入り口１１２付近に配置される装着態様が含まれる。
【００５９】
また、上記実施形態では、電気音響変換素子２１の放音部として振動板２１ａを例示したが、放音部は振動板２１ａに限らない。放音部は、音声発生源となる振動体から発せられた音の出口（窓）であってもよい。すなわち、電気音響変換素子２１は、ダイナミック型に限らず、バランスド・アーマチュア型でもよい。また、電気音響変換素子２１は、低域用、中域用、高域用、等、音響特性の異なる複数の電気音響変換素子で構成されてもよい。
【００６０】
また、上記実施形態では、音響装置の実施形態の例として、イヤホンの形態例を示したが、本発明に係る音響装置には、イヤホン以外の音響装置も含まれる。イヤホン以外の音響装置の例として、補聴器、インカム、等、マイクを備えた機器を挙げることができる。また、本発明に係る音響装置には、左右両方の耳に装着して使用するものと、左右どちらか一方の耳に装着して使用するものとが含まれる。
【００６１】
［総括］
本明細書には少なくとも以下の事項が記載されている。なお、括弧内には、上記した実施形態において対応する構成要素等を示しているが、これに限定されるものではない。
【００６２】
（１）  耳（耳１００）に装着して使用する音響装置（イヤホン１乃至６）であって、
前記音響装置は、電気音響変換素子（電気音響変換素子２１）と、皮膚接触部材（キャップ３０）と、介在部材（バッフルチューブ４０）と、を有し、
前記電気音響変換素子は、その放音部（振動板２１ａ）及び側部（側部２１ｃ）が前記皮膚接触部材で覆われ、
前記皮膚接触部材は、柔軟性、弾力性及び通気性を有し、且つ、音を透過させる部材であり、
前記介在部材は、前記電気音響変換素子に直接又は間接的に固定されて前記皮膚接触部材と前記電気音響変換素子との間に存在するとともに、前記皮膚接触部材との間の摩擦力により前記電気音響変換素子と前記皮膚接触部材との相対移動を難くし、
前記皮膚接触部材が外耳道（外耳道１１０）に嵌まることにより、前記電気音響変換素子が当該外耳道の内壁（内壁１１１）から離して支持される、音響装置。
【００６３】
（１）の音響装置は、前記皮膚接触部材が柔軟性、弾力性及び通気性を有する部材であるので、耳への装着感が良好で、長時間着けていても耳に痛みが生じにくい。
（１）の音響装置は、前記皮膚接触部材が通気性を有するので、耳への装着時に外耳道を気密に密閉しない。このため所謂タッチノイズが発生しにくい。
（１）の音響装置は、前記介在部材と前記皮膚接触部材との間の摩擦力により前記電気音響変換素子と前記皮膚接触部材との相対移動を難くしているので、前記電気音響変換素子に対する前記皮膚接触部材の位置ずれや、前記皮膚接触部材の不用意な離脱が防止される。
【００６４】
（２）  前記介在部材は、前記電気音響変換素子との間に空気室（空気室６５）を形成する、（１）の音響装置。
【００６５】
（２）の音響装置は、前記介在部材と前記電気音響変換素子との間に空気室が存在するので、中低音再現性が良い。
【００６６】
（３）  前記電気音響変換素子を収容する第１エンクロージャ（ドライバケーシング２２）と、
前記第１エンクロージャを収容する第２エンクロージャ（イヤホンケーシング１０）と、を更に有し、
前記第１エンクロージャは、前記電気音響変換素子との間に第１共鳴室（第１共鳴室６１）を形成し、
前記第２エンクロージャは、前記第１エンクロージャとの間に第２共鳴室（第２共鳴室６２）を形成し、
前記第１エンクロージャには、前記第１共鳴室と前記第２共鳴室とを互いに連通させるポート（ポート２２ｅ）が設けられている、（１）又は（２）の音響装置。
【００６７】
（３）の音響装置は、前記第１共鳴室及び前記第２共鳴室により低音が増幅されるので、中低音再現性がより良い。
【００６８】
（４）  前記第２エンクロージャの内部には、前記第２共鳴室と連通する第３共鳴室（第３共鳴室６３）が形成されている、（３）の音響装置。
【００６９】
（４）の音響装置は、前記第２共鳴室および前記第３共鳴室により低音が更に増幅されるので、中低音再現性が更に良い。
【００７０】
（５）  前記第２エンクロージャにおける前記第２共鳴室と前記第３共鳴室との連通部（内部空間６４）は、くびれている、（４）の音響装置。
【００７１】
（５）の音響装置は、前記第２共鳴室と前記第３共鳴室との連通部における空気の粘性増大により低音が更に増幅されるので、中低音再現性が更に良い。
【００７２】
（６）  前記皮膚接触部材は、スポンジ材からなる部材である、（１）乃至（５）のいずれか１に記載の音響装置。
【００７３】
（６）の音響装置は、耳に接触する部分がスポンジ材からなる部材だけであるので、耳への装着感が良好で、長時間着けていても耳に痛みが生じにくい。
【００７４】
（７）  前記皮膚接触部材の外形は、球形である、（１）乃至（６）のいずれか１に記載の音響装置。
【００７５】
（７）の音響装置は、前記皮膚接触部材の外形が球形であることで、多くの人の外耳道にフィットし易い。また、前記電気音響変換素子から発せられる音が偏りなく放射状に外耳道内に放音される。また、耳に対する装着角度が多少変化しても、前記介在部材と外耳道の内壁との間に、前記皮膚接触部材が介在し、前記電気音響変換素子が当該外耳道の内壁から離して支持される。
【符号の説明】
【００７６】
１  イヤホン（音響装置）
２  イヤホン（音響装置）
３  イヤホン（音響装置）
４  イヤホン（音響装置）
５  イヤホン（音響装置）
６  イヤホン（音響装置）
１０  イヤホンケーシング（第２エンクロージャ）
１１  ヘッド部
１１ａ  先端
１１ｂ  環状突起
１１ｃ  孔
１２  ボディ部
１２ａ  振動板（放音部）
１３  ネック部
１４  ボディ部
１５  ケーブル固定蓋
１５ａ  孔
１６  防止リング
２０  ドライバユニット
２１  電気音響変換素子
２１ａ  振動板
２１ｂ  端子
２１ｃ  側部
２２  ドライバケーシング（第１エンクロージャ）
２２ａ  円筒部
２２ｂ  端板部
２２ｃ  端子
２２ｄ  端子
２２ｅ  ポート
３０  キャップ（皮膚接触部材）
４０  バッフルチューブ（介在部材）
４０ａ  端部
４０ｂ  先端部
４１  返し部
４２  音響振動吸収層
４３  チューブ（介在部材）
５０  プロテクタ
６１  第１共鳴室
６２  第２共鳴室
６３  第３共鳴室
６４  内部空間
６５  空気室
７１  ブッシング
７２  ケーブル
７２ａ  シース
７３  リード線
１００  耳
１１０  外耳道
１１１  内壁
１１２  入り口
１１３  耳甲介腔
１１４  耳珠
１１５  対耳珠
【図１】
2019161467.tif 000003
【図２】
2019161467.tif 000004
【図３】
2019161467.tif 000005
【図４】
2019161467.tif 000006
【図５】
2019161467.tif 000007
【図６】
2019161467.tif 000008
【図７】
2019161467.tif 000009
【図８】
2019161467.tif 000010
【図９】
2019161467.tif 000011
【図１０】
2019161467.tif 000012
【図１１】
2019161467.tif 000013
【図１２】
2019161467.tif 000014
【図１３】
2019161467.tif 000015
【図１４】
2019161467.tif 000016
【図１５】
2019161467.tif 000017
【図１６】
2019161467.tif 000018
【図１７】
2019161467.tif 000019
【図１８】
2019161467.tif 000020
【図１９】
2019161467.tif 000021
【図２０】
2019161467.tif 000022
【図２１】
2019161467.tif 000023
【図２２】
2019161467.tif 000024
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
耳に装着して使用する音響装置であって、
前記音響装置は、
音響ユニットと、皮膚接触部材と、介在部材と、を有し、
前記音響ユニットは、少なくともその放音部及び側部が前記皮膚接触部材で覆われており、
前記皮膚接触部材は、柔軟性、弾力性及び通気性を有し、且つ、音を透過させる部材であり、
前記介在部材は、前記皮膚接触部材と前記音響ユニットとの間に存在し、前記皮膚接触部材との間の摩擦力により前記音響ユニットと前記皮膚接触部材との相対移動を難くするとともに、前記皮膚接触部材と前記音響ユニットとの間に空気室を形成し、
前記皮膚接触部材が外耳道に嵌まることにより、前記音響ユニットが当該外耳道の内壁から離して支持される、音響装置。
【請求項２】
前記空気室は、前記音響ユニットの前記放音部と連通している、請求項１の音響装置。
【請求項３】
前記空気室は、密閉空間である、請求項１の音響装置。
【請求項４】
前記介在部材が全周に亘って前記音響ユニットに接触している、請求項１乃至３のいずれか１の音響装置。
【請求項５】
耳に装着して使用する音響装置であって、
前記音響装置は、電気音響変換素子と、皮膚接触部材と、介在部材と、を有し、
前記電気音響変換素子は、その放音部及び側部が前記皮膚接触部材で覆われ、
前記皮膚接触部材は、柔軟性、弾力性及び通気性を有し、且つ、音を透過させる部材であり、
前記介在部材は、前記皮膚接触部材と前記電気音響変換素子との間に存在するとともに、前記皮膚接触部材との間の摩擦力により前記電気音響変換素子と前記皮膚接触部材との相対移動を難くし、
前記皮膚接触部材が外耳道に嵌まることにより、前記電気音響変換素子が当該外耳道の内壁から離して支持される、音響装置。
【請求項６】
前記介在部材は、前記皮膚接触部材と前記電気音響変換素子との間に空気室を形成する、請求項１の音響装置。
【請求項７】
前記電気音響変換素子を収容する第１エンクロージャと、
前記第１エンクロージャを収容する第２エンクロージャと、を更に有し、
前記第１エンクロージャは、前記電気音響変換素子との間に第１共鳴室を形成し、
前記第２エンクロージャは、前記第１エンクロージャとの間に第２共鳴室を形成し、
前記第１エンクロージャには、前記第１共鳴室と前記第２共鳴室とを互いに連通させるポートが設けられている、請求項５又は６の音響装置。
【請求項８】
前記皮膚接触部材は、スポンジ材からなる部材である、請求項１乃至７のいずれか１に記載の音響装置。
【請求項９】
前記皮膚接触部材の外形は、球形である、請求項１乃至８のいずれか１に記載の音響装置。
【手続補正２】
【補正対象書類名】明細書
【補正対象項目名】００２５
【補正方法】変更
【補正の内容】
【００２５】
バッフルチューブ４０は、イヤホンケーシング１０よりも軟らかい。
【手続補正書】
【提出日】平成30年9月2日(2018.9.2)
【手続補正１】
【補正対象書類名】特許請求の範囲
【補正対象項目名】請求項５
【補正方法】変更
【補正の内容】
【請求項５】
前記皮膚接触部材は、スポンジ材からなる部材である、請求項１乃至４のいずれか１に記載の音響装置。
【手続補正２】
【補正対象書類名】特許請求の範囲
【補正対象項目名】請求項６
【補正方法】変更
【補正の内容】
【請求項６】
前記皮膚接触部材の外形は、球形である、請求項１乃至５のいずれか１に記載の音響装置。
【手続補正３】
【補正対象書類名】特許請求の範囲
【補正対象項目名】請求項７
【補正方法】変更
【補正の内容】
【請求項７】
前記音響ユニットは、
ヘッド部と、ボディ部と、を有し、
前記ヘッド部は、球殻を成し、
前記ボディ部は、直管の両端を半球殻で塞いだ構造であり、
前記ヘッド部と前記ボディ部とは、括れ部を介して同軸状に接続されており、
前記ヘッド部の外径は、前記ボディ部の外径よりも大きく、
前記ヘッド部の先端側は前記放音部をなし、
前記介在部材は、前記ボディ部の前記ヘッド部側の端部から前記ヘッド部の先端近傍に延びており、
前記介在部材の先端部と前記放音部との間には、環状の隙間が形成されている、請求項１乃至６のいずれか１に記載の音響装置。
【手続補正４】
【補正対象書類名】特許請求の範囲
【補正対象項目名】請求項８
【補正方法】変更
【補正の内容】
【請求項８】
前記皮膚接触部材は、前記介在部材が取り付けられている状態の前記ヘッド部を覆い、
前記介在部材の前記ボディ部側の端部は、前記皮膚接触部材で覆われておらず、当該端部の表面は、自然状態における前記皮膚接触部材の表面と同じ曲率の部分球面である、請求項７に記載の音響装置。